【事件の表示】
　特許第３４０８９９７号「ネットワークファクシミリ装置」の請求項１、２に係る特許に対する特許異議の申立てについて、次のとおり決定する。
【結　論】
　訂正を認める。
　特許第３４０８９９７号の請求項１、２に係る特許を維持する。
【理　由】
第１．手続の経緯
　本件特許３４０８９９７号の請求項１，２に係る発明についての出願は、平成１０年９月２９日に出願された特願平１０−２７４９２０号の一部を平成１１年９月９日に新たに特許出願され、平成１５年３月１４日にその発明について特許権の設定登録がなされ、その後、異議申立人キヤノン株式会社より特許異議の申立がなされ、取消しの理由が通知され、その指定期間内である平成１６年９月３日に訂正請求がなされたものである。
　
第２．訂正の適否
　
１．訂正の要旨
　平成１６年９月３日付け訂正請求書により訂正する訂正事項は、以下のとおりである。
　
訂正事項ａ
　特許請求の範囲の請求項１及び２を特許請求の範囲の減縮及び明瞭でない記載の釈明を目的として以下のとおり訂正する。
「【請求項１】　ネットワークを介して電子メールを受信するネットワーク通信手段と、電話回線を介してイメージデータを受信するファクシミリ通信手段と、このネットワーク通信手段及びファクシミリ通信手段で受信したデータの発信者名及び前記受信したデータに対して記憶領域に蓄積した順に振られる文書番号を含む項目をリスト化した受信リスト情報とこの受信リストから指定したデータの転送指示を行う指示ボタンとを一つの画面で表示する受信リストファイルをＨＴＭＬ等の文書構造記述言語により生成するＨＴＭＬ生成手段と、前記受信したデータ及び前記受信リスト情報を記憶領域に蓄積する蓄積手段と、ネットワークを介して接続される端末から前記受信リスト情報の要求があると、前記受信リストファイルを前記端末に送出し、前記端末から前記指示ボタンによる転送指示があるまで送信すべきデータの指定待ち状態で待機し、前記指示ボタンによる転送指示を受けると、前記端末に送信先である宛先を入力するためのページデータを送出し、前記端末から宛先が入力され、送信指示がなされると、送信処理のためのＣＧＩプログラムを起動して、指定されたデータの送信処理を実行するサーバ手段とを備え、前記受信リストファイルから指定されたデータを表示することなく、転送指示を行えるようにしたネットワークファクシミリ装置。
　【請求項２】　ネットワークを介して電子メールにより受信したデータ及び電話回線を介して受信したデータの発信者名及び前記受信したデータに対して記憶領域に蓄積した順に振られる文書番号を含む項目をリスト化した受信リスト情報と受信リストから指定したデータの転送指示を行う指示ボタンとを一つの画面で表示する受信リストファイルをＨＴＭＬ等の文書構造記述言語により生成し、前記受信したデータ及び前記受信リスト情報を記憶領域に蓄積し、ネットワークを介して接続される端末から前記受信リスト情報の要求があると、前記受信リストファイルを前記端末に送出し、前記端末から前記指示ボタンによる転送指示があるまで送信すべきデータの指定待ち状態で待機し、前記指示ボタンによる転送指示を受けると、前記端末に送信先である宛先を入力するためのページデータを送出し、前記端末から宛先が入力されると、送信処理のためのＣＧＩプログラムを起動して、前記指定されたデータの送信処理を実行し、前記受信リストファイルから指定されたデータを表示することなく、転送指示を行えるようにした受信データ送出方法。」
　
訂正事項ｂ
　特許請求の範囲の記載と発明の名称の記載との整合を図るため、明瞭でない記載の釈明を目的として、【発明の名称】を以下のとおり訂正する。
【発明の名称】ネットワークファクシミリ装置及び受信データ送出方法
　
訂正事項ｃ
　特許請求の範囲の記載と発明の詳細な説明の記載との整合を図るため、明瞭でない記載の釈明を目的として、明細書の段落番号【００１７】を以下のとおり訂正する。
「【００１７】本願発明のネットワークファクシミリ装置は、ネットワークを介して電子メ−ルを受信するネットワーク通信手段と、電話回線を介してイメージデータを受信するファクシミリ通信手段と、このネットワーク通信手段及びファクシミリ通信手段で受信したデータの発信者名及び前記受信したデータに対して記憶領域に蓄積した順に振られる文書番号を含む項日をリスト化した受信リスト情報とこの受信リストから指定したデータの転送指示を行う指示ボタンとを一つの画面で表示する受信リストファイルをＨＴＭＬ等の文書構造記述言語により生成するＨＴＭＬ生成手段と、前記受信したデータ及び前記受信リスト情報を記憶領域に蓄積する蓄積手段と、ネットワークを介して接続される端末から前記受信リスト情報の要求があると、前記受信リストファイルを前記端末に送出し、前記端末から前記指示ボタンによる転送指示があるまで送信すべきデータの指定待ち状態で待機し、前記指示ボタンによる転送指示を受けると、前記端末に送信先である宛先を入力するためのページデータを送出し、前記端末から宛先が入力され、送信指示がなされると、送信処理のためのＣＧＩプログラムを起動して、指定されたデータの送信処理を実行するサーバ手段とを備え、前記受信リストファイルから指定されたデータを表示することなく、転送指示を行えるようにした。
　また、本発明の受信データ送出方法は、ネットワークを介して電子メールにより受信したデータ及び電話回線を介して受信したデータの発信者名及び前記受信したデータに対して記憶領域に蓄積した順に振られる文書番号を含む項目をリスト化した受信リスト情報と受信リストから指定したデータの転送指示を行う指示ボタンとを一つの画面で表示する受信リストファイルをＨＴＭＬ等の文書構造記述言語により生成し、前記受信したデータ及び前記受信リスト情報を記憶領域に蓄積し、ネットワークを介して接続される端末から前記受信リスト情報の要求があると、前記受信リストファイルを前記端末に送出し、前記端末から前記指示ボタンによる転送指示があるまで送信すべきデータの指定待ち状態で待機し、前記指示ボタンによる転送指示を受けると、前記端末に送信先である宛先を入力するためのページデータを送出し、前記端末から宛先が入力されると、送信処理のためのＣＧＩプログラムを起動して、前記指定されたデータの送信処理を実行し、前記受信リストファイルから指定されたデータを表示することなく、転送指示を行えるようにした。」
　
２．訂正の目的の適否、新規事項の有無及び拡張・変更の存否
　本件訂正の要旨は、上記訂正事項ａ〜ｃのとおりである。
　訂正事項ａの訂正内容について。請求項１について、「電話回線を介してイメージデータを受信するファクシミリ通信手段」の構成を付加し、受信データとして「ファクシミリ通信手段」で受信したデータも含むとし、受信リスト情報として「前記受信したデータに対して記憶領域に蓄積した順に振られる文書番号」の項目を付加したものであり、いずれも特許請求の範囲の減縮を目的とするものである。請求項２について、受信データとして「電話回線を介して受信したデータ」を付加し、受信リスト情報として「前記受信したデータに対して記憶領域に蓄積した順に振られる文書番号」を項目として付加するものであり、いずれも特許請求の範囲の減縮を目的とするものである。そして、これらの構成は願書に添付された明細書の【0035】〜【0038】に記載されているから、新規事項の追加に該当するものではない。また、明瞭でない記載の釈明を目的として、請求項２における「指示ボタン一つの画面で表示する」を「指示ボタンとを一つの画面で表示する」に訂正するものである。
　訂正事項ｂの訂正内容は、特許請求の範囲に記載された請求項２と発明の名称との整合を図るため、請求項２の末尾である「受信データ送出方法」を発明の名称に付加したものであり、この訂正は明りょうでない記載の釈明を目的とするものである。
　訂正事項ｃの訂正内容は、訂正事項ａに伴い、特許請求の範囲の記載と発明の詳細な説明の記載との整合を図るため、明りょうでない記載の釈明を目的とした明細書の訂正に該当し、これらの構成は願書に添付された明細書に記載されていたものであり、新規事項の追加に該当するものではない。
　そして、全訂正事項のいずれも、実質的に特許請求の範囲を拡張又は変更するものではない。
　
３．むすび
　したがって、上記訂正は、特許法第１２０条の４第２項に規定する訂正の目的を満たすものであり、かつ同条第３項で準用する第１２６条第２、３項の規定に適合する。
　よって、本件訂正請求のとおりの訂正を認める。
　
　
第３．特許異議の申立てについての判断
　
１．申立ての概要
　申立人キヤノン株式会社は、甲第１号証及び甲第２号証を提出して、請求項１及び２に係る発明は、下記の甲第１，２号証に記載された発明を基に容易に発明をすることができたものであり、特許法第２９条第２項の規定に違反してなされたものであるから、特許を取り消すべき旨主張している。
甲第１号証　ED TITTEL，MARK GAlTHER，SEBASTIAN HASS INGER，MIKE ERWIN，”秘伝　HTML、CGI、PerlによるWebプログラミング”(株)ビー・エヌ・エヌ発行，第293〜316頁
甲第２号証　特開平１０−６３５９０号公報
　
２．本件発明
　前記したとおり訂正が認められた結果、当該請求項１及び２に係る発明は、平成１６年９月３日付けの訂正明細書の特許請求の範囲の請求項１及び２に記載された事項により特定されるとおりのものである（上記、第２の「１．訂正の要旨」参照。）（以下「訂正発明１」，「訂正発明２」という。）。
　
３．当審の取消理由で通知した引用刊行物等
　当審が平成１６年７月１日付で通知した取消理由で引用した各刊行物等は、以下のとおりである。
刊行物１　ED TITTEL，MARK GAlTHER，SEBASTIAN HASS INGER，MIKE ERWIN，”秘伝　HTML、CGI、PerlによるWebプログラミング”(株)ビー・エヌ・エヌ発行（国立国会図書館平成９年８月２２日受入），第293〜316頁
刊行物２　特開平１０−１５０４６２号公報
刊行物３　斎藤幸男，寺本昌弘，田中智博，砂場倫太郎インターネット用電子ファクスシステムの開発”，ＮＴＴ技術ジャーナル．社団法人電気通信協会発行，第９巻，第５号，１９９７．５．１，第９４〜９７頁
刊行物４　特開平１０−６３５９０号公報
刊行物５　斎藤幸男，”情報流通からみたインターネットＦＡＸのねらいと動向”，ＮＴＴ技術ジャーナル，社団法人電気通信協会発行，第１０巻，第７号，１９９８．７．１，第３３〜３５頁
　
　そして、上記各引用刊行物等には、それぞれおよそ下記の事項が記載されている。
　
　刊行物１（　ED TITTEL，MARK GAlTHER，SEBASTIAN HASS INGER，MIKE ERWIN，”秘伝　HTML、CGI、PerlによるWebプログラミング”(株)ビー・エヌ・エヌ発行，第293〜316頁）（申立人キヤノン株式会社による甲第１号証）には、受信したファックスデータをＨＴＭＬ形式でリスト表示したファックス管理画面において、ファックス転送のためのボタンを設け、ボタンによる指示により宛先を入力、データを変換、ＣＧＩプログラムにより送信することが開示されている（特に、第３１５〜３１６頁の記載及び図１１−１を参照。）。
　刊行物２（特開平１０−１５０４６２号公報）には、メッセージ解析部が送信元情報によりファクシミリ関連情報を作成すること、及び、ファクシミリサーバ内に設けられたＷＷＷサーバに受信ファクシミリのリストとファクシミリ関連情報を掲載したＷＷＷのページであるファクシミリリストページを用意する構成が開示されている（特に、【0021】の記載及び図３を参照。）。
　刊行物３（斎藤幸男，寺本昌弘，田中智博，砂場倫太郎インターネット用電子ファクスシステムの開発”，ＮＴＴ技術ジャーナル．社団法人電気通信協会発行，第９巻，第５号，１９９７．５．１，第９４〜９７頁）には、未読文書一覧画面やフォルダ文書一覧画面において受信したＦＡＸ文書ごとに、発信元を表示すること、及び、未読文書一覧やフォルダ文書一覧画面でＦＡＸ文書を他のＦＡＸへ転送する技術が開示されている。
　刊行物４（特開平１０−６３５９０号公報）（申立人キヤノン株式会社による甲第２号証）には、ハイパテキスト転送プロトコルを用いた電子メールシステムおよび電子メールの処理方法に関するもので、Ｗｅｂブラウザに表示される受信メールページに書くメール毎に発信者名を対応して表示する技術が開示されている（特に図９を参照。）。
　刊行物５（斎藤幸男，”情報流通からみたインターネットＦＡＸのねらいと動向”，ＮＴＴ技術ジャーナル，社団法人電気通信協会発行，第１０巻，第７号，１９９８．７．１，第３３〜３５頁）にはインターネットＦＡＸとしてＦＡＸ端末型とＦＡＸゲートウェイ型の両方が開示されている（特に第３５ページの図を参照。）。
　
４．判断
（１）訂正発明１について
　訂正発明１と、上記刊行物等１〜５に記載された発明とを対比すると、刊行物等１〜５のいずれにも、訂正発明１の構成要件である、“ネットワークを介して接続される端末から受信リスト情報の要求があると、受信リストファイルを前記端末に送出し、指示ボタンによる転送指示を受けると、前記端末に送信先である宛先を入力するためのページデータを送出し、前記端末から宛先が入力され、送信指示がなされると、送信処理のためのＣＧＩプログラムを起動して、指定されたデータの送信処理を実行する”ことについて記載されておらず、示唆する記載もない。また、刊行物１〜５に記載された発明を組み合わせてみても、当該構成は得られない。そして、当該構成要件により、訂正発明１は、“受信リストファイルから指定されたデータを端末に転送することなく転送指示を行え、ネットワークトラフィックの増大を防ぐ”という明細書記載の格別の効果を奏するものである。したがって、訂正発明１は刊行物等１〜５に記載の発明から当業者が容易に発明をすることができたものとはいえない。
　また、他に訂正発明１に係る特許を取り消す理由を発見しない。
　
（２）訂正発明２について
　訂正発明２と、上記刊行物等１〜５に記載された発明とを対比すると、刊行物等１〜５のいずれにも、訂正発明２の構成要件である、“ネットワークを介して接続される端末から受信リスト情報の要求があると、受信リストファイルを前記端末に送出し、指示ボタンによる転送指示を受けると、前記端末に送信先である宛先を入力するためのページデータを送出し、前記端末から宛先が入力されると、送信処理のためのＣＧＩプログラムを起動して、前記指定されたデータの送信処理を実行する”ことについて記載されておらず、示唆する記載もない。また、刊行物１〜５に記載された発明を組み合わせてみても、当該構成は得られない。そして、当該構成要件により、訂正発明２は、“受信リストファイルから指定されたデータを端末に転送することなく転送指示を行え、ネットワークトラフィックの増大を防ぐ”という明細書記載の格別の効果を奏するものである。したがって、訂正発明２は刊行物等１〜５に記載の発明から当業者が容易に発明をすることができたものとはいえない。
　また、他に訂正発明２に係る特許を取り消す理由を発見しない。
　
　
５．むすび
　以上のとおりであるから、請求項１及び２に係る発明の特許は、異議申立人キヤノン株式会社の主張する理由及び証拠によっては取り消すことはできない。
　また、他に請求項１及び２に係る発明の特許を取り消すべき理由を発見しない。
　よって、結論のとおり決定する。
【異議決定日】
平成１６年１０月１３日（２００４．１０．１３）
【訂正の要旨】
審決（決定）の【理由】欄参照。
（５４）【発明の名称】
ネットワークファクシミリ装置
及び受信データ送出方法
（５７）【特許請求の範囲】
　【請求項１】　ネットワークを介して電子メールを受信するネットワーク通信手段と、
電話回線を介してイメージデータを受信するファクシミリ通信手段と、
及びファクシミリ通信手段
及び前記受信したデータに対して記憶領域に蓄積した順に振られる文書番号
　【請求項２】　ネットワークを介して電子メールにより受信したデータ
及び電話回線を介して受信したデータ
及び前記受信したデータに対して記憶領域に蓄積した順に振られる文書番号
とを
【発明の詳細な説明】
　【０００１】
　【発明の属する技術分野】
　本発明は、インターネットなどのネットワークに接続されるネットワークファクシミリ装置に関するものである。
　【０００２】
　【従来の技術】
　近年、ファクシミリ装置は、画像データを簡単な操作で送受信できる装置として、ほぼすべての企業に普及している。また、インターネットやイントラネットの急速な普及により、多くの企業においてパソコンやワークステーションをネットワークに接続して、電子メール通信を行ったりＷＷＷブラウザでホームページをアクセスすることが行われている。
　【０００３】
　また、ファクシミリ装置で受信したデータを各自のパソコンに取り込んだり、各パソコンからネットワーク経由でファクシミリ送信をするために、ＦＡＸサーバをネットワークに接続してファクシミリ送受信している企業も多い。
　【０００４】
　以下、従来の技術を図面を用いて説明する。図１０は、従来のＦＡＸサーバを使用してファクシミリの送受信を行う場合のシステム構成図である。図１０において、ＦＡＸモデム１００１は、電話回線に接続されている。ＦＡＸサーバ１００２は、ＦＡＸモデム１００１を介してファクシミリデータの送受信を行う。ファイルサーバ１００３は、ファクシミリ送受信データを蓄積する。クライアントパソコン１００４は、専用アプリケーションを動作させてファクシミリデータの送受信を指示する。
　【０００５】
　以上のように構成された従来のＦＡＸサーバを使用した場合のクライアントパソコンの受信動作を説明する。まず、ＦＡＸモデム１００１が電話回線の着信を受けてイメージデータを取り込み、ＦＡＸサーバ１００２に渡す。ＦＡＸサーバ１００２で動作しているＦＡＸサーバソフトウェアがイメージデータを受け取り、ネットワークを介してファイルサーバ１００３にイメージデータファイルとして蓄積する。ここまででファクシミリ受信データの蓄積が終了する。受信したイメージデータをクライアントパソコン１００４に取り込むためには、ユーザがクライアントパソコン１００４の専用アプリケーションを起動し、ファイルサーバ１００３よりネットワークを介してイメージデータファイルを読み出す。
　【０００６】
　また、最近ではインターネットＦＡＸとＷＷＷサーバを組み合わせてファクシミリ受信データを再利用する方法も提案されている。これは、インターネットＦＡＸが電話回線から受信したデータを電子メールに変換するゲートウェイ機能を利用したものである。
　【０００７】
　図１１は、従来のインターネットＦＡＸとＷＷＷサーバを使用してファクシミリの送受信を行う場合のシステム構成図である。図１１において、インターネットＦＡＸ１１０１は、電話回線に接続するとともにネットワークインタフェースを装備している。電子メールサーバ１１０２は、電子メールを受信し各個人に振り分ける。ＷＷＷサーバ１１０３は、受信データをホームページとして公開する専用ソフトウェアが動作するワークステーションである。クライアントパソコン１１０４は、ＷＷＷブラウザを動作させてホームページを閲覧することができる。
　【０００８】
　以上のように構成された従来のインターネットＦＡＸとＷＷＷサーバを使用した場合のクライアントパソコンの受信動作を説明する。
　【０００９】
　まず、インターネットＦＡＸ１１０１が電話回線を介して受信したイメージデータは、インターネットＦＡＸ内で電子メールの添付ファイル形式に変換されて電子メールの添付ファイルとしてＷＷＷサーバ１１０３宛てに送信される。送信された電子メールは、ネットワークを介して電子メールサーバ１１０２に受信される。受信された電子メールは、再度ネットワークを介して宛先であるＷＷＷサーバ１１０３に送信される。ＷＷＷサーバ１１０３は、電子メールの添付ファイルをイメージデータとして蓄積し、ファクシミリ受信用ホームページにリンクする。ここまででファクシミリ受信データの蓄積が終了する。受信したイメージデータをクライアントパソコン１１０４に取り込むためには、ユーザがクライアントパソコン１１０４のＷＷＷブラウザを起動してＷＷＷサーバ１１０３のファクシミリ受信ホームページにアクセスし、ネットワークを介してイメージデータファイルを読み出す。
　【００１０】
　【発明が解決しようとする課題】
　しかし、上述のＦＡＸサーバを用いた従来技術の構成では、ファクシミリ受信データがクライアントパソコンに到達するまでに、ＦＡＸサーバとファイルサーバ間、ファイルサーバとクライアントパソコン間で、ネットワークを介したイメージデータの転送が２回発生し、ネットワークトラフィックが増大するという問題がある。
　【００１１】
　また、ファクシミリ受信データを蓄積するためのファイルサーバおよびクライアントパソコンでファクシミリデータを送受信するための専用アプリケーションを必要とするため、コストがかかるという問題がある。
　【００１２】
　また、上述のインターネットＦＡＸとＷＷＷサーバを用いた従来技術の構成では、ファクシミリ受信データがクライアントパソコンに到達するまでに、インターネットＦＡＸと電子メールサーバ間、電子メールサーバとＷＷＷサーバ間、ＷＷＷサーバとクライアントパソコン間で、ネットワークを介したイメージデータの転送が３回発生するうえ、電子メールに添付したイメージデータはバイナリデータの約１．３倍に膨れ上がるため、一層ネットワークトラフィックが増大するという問題がある。
　【００１３】
　また、ＷＷＷサーバ用のワークステーションおよび受信データをホームページとして公開するための専用アプリケーションを必要とするため、コストがかかるという問題がある。
　【００１４】
　本発明は、上述の課題に鑑みて為されたもので、データ転送によるネットワークトラフィックを低減させることのできるネットワークファクシミリ装置を提供することを目的とする。
　【００１５】
　また、本発明は、専用のハードウェアやソフトウェアを必要とせず、安価な構成でネットワークを介してイメージデータを送受信することのできるネットワークファクシミリ装置を提供することを目的とする。
　【００１６】
　【課題を解決するための手段】
　本発明は、上述の目的を達成するため、以下の構成をとる。
　【００１７】
　本願発明のネットワークファクシミリ装置は、ネットワークを介して電子メールを受信するネットワーク通信手段と、
電話回線を介してイメージデータを受信するファクシミリ通信手段と、
及びファクシミリ通信手段
及び前記受信したデータに対して記憶領域に蓄積した順に振られる文書番号
　また、本発明の受信データ送出方法は、ネットワークを介して電子メールにより受信したデータ
及び電話回線を介して受信したデータ
及び前記受信したデータに対して記憶領域に蓄積した順に振られる文書番号
とを
　【００１８】
　この構成により、受信情報のホームページを外部に発信し、ホームページ上で指示された受信データを他の端末に送信することができるので、ユーザはブラウザソフトの操作のみでネットワークファクシミリ装置が蓄積したデータのうち任意のものを任意の端末に送信することができる。
　【００１９】
　【００２０】
　【００２１】
　【００２２】
　【００２３】
　【００２４】
　【００２５】
　【００２６】
　【００２７】
　【００２８】
　【００２９】
　【００３０】
　【００３１】
　【００３２】
　【００３３】
　【００３４】
　【００３５】
　【発明の実施の形態】
　以下、本発明の一実施の形態について図面を参照して説明する。図１は、本発明の一実施例によるネットワークファクシミリ装置の概略ブロック図である。図１において、ＣＰＵ１は装置全体の制御を行う。ＲＯＭ２はプログラムが記憶される読み取り専用メモリであり、ＨＴＭＬファイル生成部１１、ＷＷＷサーバ部１２、電子メール通信部１３、ＴＩＦＦ変換部１４の各プログラムが内蔵されている。ＲＡＭ３はＲＯＭ２に記憶されるプログラムのデータ用として使用されるメモリである。自己の電子メールアドレスを保持した電子メールソフトウェアやＵＲＬアドレス等もＲＡＭ３に記憶されている。外部記憶部４はハードディスク等のメモリであり、圧縮されたイメージデータやＨＴＭＬファイルなどが格納される。スキャナ部５は原稿などのイメージデータの読み取りを行う。プリンタ部６は受信したイメージデータまたは読み取ったイメージデータの印刷を行う。パネル部７はイメージの読み込み指示や送信先の宛先入力などの操作を行う。圧縮・伸長部８は受信したイメージデータの伸長または読み取ったイメージデータの圧縮を行う。ＦＡＸ・音声通信部９は電話回線に接続し、ファクシミリ通信や音声通信を行う。ネットワーク制御部１０はネットワークに接続し、インターネット通信を行う。ＨＴＭＬファイル生成部１１は受信したイメージデータのリストなどをホームページ上で閲覧可能なＨＴＭＬファイルとして生成する。ＷＷＷサーバ部１２はＷＷＷブラウザソフトとＨＴＴＰプロトコル通信を行い、ホームページデータ（ＨＴＭＬファイル）の受け渡しをする。電子メール通信部１３はネットワークを介して電子メールの送受信を行う他、電子メールサーバ機能を有す。ＴＩＦＦ変換部１４はファクシミリ符号化データや文書ファイルデータをＴＩＦＦ形式に変換する。
　【００３６】
　図２は、本発明の一実施例によるネットワークファクシミリ装置を用いた場合のシステム構成図である。図２において、ネットワークファクシミリ装置２０１は電話回線に接続するとともにネットワークインタフェースを装備し、図１に示すようにＷＷＷサーバ部、電子メール通信部を内蔵している。クライアントパソコン２０２はＷＷＷブラウザを動作させてホームページの閲覧を行う。
　【００３７】
　以上のように構成したネットワークファクシミリ装置の受信動作を図３のフロー図に従って説明する。ステップ（以下ＳＴと略す。）３０１において、受信形態が電話回線かインターネットかを判断する。ＳＴ３０２〜ＳＴ３０７において、インターネットからの受信である場合、電子メール通信部１３が電子メールを受信し、添付データが画像ファイルの標準フォーマットであるＴＩＦＦ（Ｔａｇ　Ｉｍａｇｅｓ　Ｆｉｌｅ　Ｆｏｒｍａｔ）形式のイメージデータであれば、例えば「ｍａｉｌ０００１．ｔｉｆ」というようなファイル名を付与して外部記憶部４に格納し、音声データであれば「ａｕｄｉｏ０００１．ｗａｖ」というようなファイル名を付与して外部記憶部４に格納する。
電話回線からの受信である場合、ＦＡＸ・音声通信部９がイメージデータまたは音声データを受信し、イメージデータであればＴＩＦＦ変換部１４に依頼して符号化データをＴＩＦＦ形式に変換してから、例えば「ｆａｘ０００１．ｔｉｆ」というようなファイル名を付与して外部記憶部４に格納し、音声データであれば、デジタル変換した後、ファイル名を付与して外部記憶部４に格納する。なお、設定によりネットワークファクシミリ装置の電話機の呼び出し音を鳴らして直接受話器を取って会話することも可能である。
　【００３８】
　ＨＴＭＬファイル生成部１１は、外部記憶部４に格納される図５に示す受信リストテーブルを管理しており、ＳＴ３０８において、ＦＡＸ・音声通信部または電子メール通信部から受信データに付与したファイル名を受け取ると、そのファイル名を受信リストテーブルに追加する。また、その際に、格納順に振られる文書番号、電子メール通信部から通知される電子メールの標題（ファクシミリ受信時は「Ｇ３ＦＡＸ受信文書」などの固定文字列）、受信リストテーブルに登録された日時、発信者名なども合わせて記憶される。次に、ＨＴＭＬファイル生成部１１は、更新した受信リストテーブルを基に、受信リストをブラウザ上で表示するためのＨＴＭＬファイルも更新する。具体的には、図６の符号６０２のＦＡＸ受信リストページを表示するために予め用意されているＨＴＭＬファイルを読み込んで図５の受信リストテーブル内に新たに格納された管理データである文書番号等の文字列を書き込んで編集する。編集された文書番号の文字列「０００１」には、＜Ａ　ＨＲＥＦ＝¨ｆａｘ０００１．ｔｉｆ¨＞のタグが付けられることにより、「０００１」の文字列と受信ファイルであるｆａｘ０００１．ｔｉｆとがリンクされることになる。
　【００３９】
　ＳＴ３０９において、受信データが音声データであればそのまま終了する。
　【００４０】
　ネットワークファクシミリ装置は外部記憶部４に受信イメージデータを格納した時点で即時にイメージデータをプリンタ部６より印刷させるように設定することができる。
　【００４１】
　ＳＴ３１０において、この即時印刷設定になっているか否かをチェックし、否であれば受信動作を終了する。即時印刷設定がされていれば、ＳＴ３１１〜ＳＴ３１２において、外部記憶部にＴＩＦＦ形式で格納されているイメージデータを圧縮・伸長部８により伸長してから、プリンタ部６に送って印刷する。
　【００４２】
　次に、ネットワークファクシミリ装置が受信蓄積したデータをクライアントパソコンに送出する動作を、図４のフロー図に従って説明する。ネットワークファクシミリ装置はＳＴ４０１において、ホームページアドレス（ＵＲＬアドレス）が入力されるまでは待機状態にある。ネットワークに接続されたクライアントパソコンが、ＳＴ４０２において、ＷＷＷブラウザ（ホームページ閲覧ソフト）を起動し、ネットワークファクシミリ装置のＵＲＬアドレスを入力してホームページにアクセスする。このアクセスを受けて、ネットワークファクシミリ装置はＳＴ４０３において、ネットワーク制御部１０をとおしてＷＷＷサーバ部１２が処理を開始し、外部記憶部４に格納されているホームページデータ（ＨＴＭＬファイル）をクライアントパソコンのＷＷＷブラウザに送出する。これにより、ＳＴ４０４において、クライアントパソコン上に、ネットワークファクシミリ装置のホームページが、例えば図６の符号６０１のように表示される。次の選択があるまでネットワークファクシミリ装置は、ＳＴ４０５により、そのまま待機する。
　【００４３】
　ＳＴ４０６〜ＳＴ４０８において、ユーザが、表示データの中から「ＦＡＸ受信リスト」を選択すると、ネットワークファクシミリ装置はこの文字列にリンクされているＦＡＸ受信リストのＨＴＭＬファイルを送出するので、クライアントパソコンのＷＷＷブラウザ上でＦＡＸ受信リストが図６の符号６０２のように表示される。次の選択があるまでネットワークファクシミリ装置は、ＳＴ４０９により、そのまま待機する。　ＳＴ４１０〜ＳＴ４１２において、ユーザがＦＡＸ受信リストの中からファイルを表示選択すると、ネットワークファクシミリ装置はイメージデータファイルを送出するので、クライアントパソコンのＷＷＷブラウザ上でイメージデータ（例えば、ｆｉｌｅ０００１．ｔｉｆ）が、ＴＩＦＦファイルを表示するためのヘルパーアプリケーションを経て、図６の符号６０３のように表示される。
　【００４４】
　上述の例では、ＦＡＸ受信したデータを表示する場合について説明したが、音声ファイルが選択された場合は、リンクされている音声データがクライアントパソコンのスピーカから再生される。音声データには、外部から受信した音声データの他、ネットワークファクシミリ装置の受話器に自らふきこんだ音声データなどがあり、これらをホームページにリンクさせたり、外部に発信したりすることができる。
　【００４５】
　次に、クライアントパソコンのＷＷＷブラウザからネットワークファクシミリ装置の送信を行う動作について説明する。この送信動作には、ネットワークファクシミリ装置に蓄積されているデータを送信する場合と、クライアントパソコン上の文書ファイルを送信する場合とが考えられる。
　【００４６】
　まず、ネットワークファクシミリ装置に蓄積されているデータを送信する場合について、図７のフロー図に従って説明する。ネットワークファクシミリ装置はＳＴ７０１において、ホームページアドレス（ＵＲＬアドレス）が入力されるまでは待機状態にある。ネットワークに接続されたクライアントパソコンが、ＳＴ７０２において、ＷＷＷブラウザ（ホームページ閲覧ソフト）を起動し、ネットワークファクシミリ装置のＵＲＬアドレスを入力してホームページにアクセスする。このアクセスを受けて、ネットワークファクシミリ装置はＳＴ７０３において、ネットワーク制御部１０をとおしてＷＷＷサーバ部１２が処理を開始し、外部記憶部４に格納されているホームページデータ（ＨＴＭＬファイル）をクライアントパソコンのＷＷＷブラウザに送出する。これにより、ＳＴ７０４において、クライアントパソコン上に、ネットワークファクシミリ装置のホームページが、表示される（図６の符号６０１）。次の選択があるまでネットワークファクシミリ装置は、ＳＴ７０５により、そのまま待機する。
　【００４７】
　ＳＴ７０６〜ＳＴ７０８において、ユーザは、図６の符号６０２の画面から目的のファイルを選択してメニューの「送信」を押す。ネットワークファクシミリ装置は、ＳＴ７０９において、送信を指示するためのページを送出（図示せず）し、ＳＴ７１０においてクライアントパソコン上に表示される。ＳＴ７１１〜ＳＴ７１３において、ユーザが送信先のファクシミリ番号あるいはメールアドレスを指定して送信指示を行うと、送信指示されたＷＷＷサーバ部１２は、ＣＧＩインタフェースにより送信のためのＣＧＩプログラムを起動して送信処理を実行する。
　【００４８】
　次に、クライアントパソコン上の文書ファイルをネットワークファクシミリ装置により送信する場合について、図８のフロー図に従って説明する。クライアントパソコンのユーザは、ＳＴ８０１〜ＳＴ８０２において、ワープロソフト等により目的の文書ファイルを開き、ネットワークファクシミリ装置をプリンタとして指定し印刷時と同様の指示を行う。
　【００４９】
　ＳＴ８０３〜ＳＴ８０５において、ネットワークファクシミリ装置は、ネットワーク制御部１０がクライアントパソコンからの送信データを受け取り、これをＴＩＦＦ変換部１４に依頼してＴＩＦＦ形式に変換し、ファイル名を付与して外部記憶部４に格納する。さらに、ＨＴＭＬファイル生成部にファイルの格納を通知する。
　【００５０】
　ＳＴ８０６において、通知を受けたＨＴＭＬファイル生成部１１は、そのファイル情報を受信リストテーブル（図５参照）に追加するとともに、ファイル情報をブラウザ上で表示するためのＨＴＭＬファイルも更新する。
　【００５１】
　以上のようにして、クライアントパソコン上の文書ファイルをネットワークファクシミリ装置にいったん蓄積する。その後、図７に示した蓄積済みのデータを送信する場合と同様にして送信を行う。送信ではなく実際に印刷のみを行いたい場合は、データをプリンタ部６へただちに送り印刷させることもできる。
　【００５２】
　上述では、一度外部記憶部４に送信データを蓄積してから送信する例を挙げたが、ユーザが印刷指示を行う際にファクシミリ番号あるいはメールアドレスを入力させるようにして、送信データをＴＩＦＦ形式に変換した後すぐにＣＧＩインタフェースにより送信プログラムを起動して送信するようにしても良い。
　【００５３】
　次に、クライアントパソコンのＷＷＷブラウザ上からネットワークファクシミリ装置の装置設定を行う動作について説明する。ネットワークファクシミリ装置のホームページには、ユーザ設定、宛先登録等各種装置設定を行うための入力画面が用意されている。クライアントパソコンのユーザは、ＷＷＷブラウザを起動してネットワークファクシミリ装置のホームページにアクセスし、目的の装置設定を行うためのページを表示する。例えば、送信に関する設定ページを開き、文字サイズとして細密を指定して「設定」ボタンを押下すると、ＷＷＷサーバ部１２が「設定」ボタンにリンクされる設定プログラムをＣＧＩインタフェースにより実行してネットワークファクシミリ装置の設定を行う。
　【００５４】
　次に、ネットワークファクシミリ装置が装置状態をＨＴＭＬファイルで生成する動作について図９のフロー図に従って説明する。ＳＴ９０１において、スキャナ部８、プリンタ部６、パネル部７、ＦＡＸ・音声通信部９はそれぞれ常時自己の状態の変化を監視している。
　【００５５】
　ＳＴ９０２〜ＳＴ９０３において、例えば、プリンタ部６が用紙切れとなった場合など状態に変化が生じたとき、プリンタ部６は変化の内容をＨＴＭＬファイル生成部１１に通知する。
　【００５６】
　ＳＴ９０４において、ＨＴＭＬファイル生成部１１は、予めステータス（装置状態）情報を表示するためのＨＴＭＬファイル並びに状態を絵で表したＧＩＦファイルを多数保持しているので、状態の変化に合わせて常時、ＨＴＭＬファイルの内容の更新及びＧＩＦファイルの差し替えを行っている。
　【００５７】
　クライアントパソコンのユーザは、ステータス（装置状態）情報を参照する際には、ＳＴ９０５〜ＳＴ９１２において、ＷＷＷブラウザを起動してネットワークファクシミリ装置のホームページを表示し、スキャナ部８、プリンタ部６、パネル部７、ＦＡＸ・音声通信部９それぞれのステータス情報を選択して表示させることにより、常に最新の装置状態を知ることができる。
　【００５８】
　なお、クライアントパソコンのユーザが、すでにネットワークファクシミリ装置のホームページにアクセスしている最中であっても、装置状態に変化が生じた時点でネットワークファクシミリ装置はＨＴＭＬファイルの内容の更新及びＧＩＦファイルの差し替えを行うので、リアルタイムで装置状態を把握することができる。
　【００５９】
　上述において説明した動作以外にも、ファクシミリ通信ログ、ファクシミリ装置のマニュアル等をＨＴＭＬファイルで生成し、ＷＷＷブラウザにより閲覧可能とするなど様々な形態が考えられる。
　【００６０】
　【発明の効果】
　以上の説明から明らかなように、本発明は、ネットワークに接続するファクシミリ装置が自装置に蓄積したデータのリストをＨＴＭＬファイルで生成しこれをネットワークに接続される端末に提供することにより、端末はＷＷＷブラウザソフトを利用してネットワークファクシミリ装置の蓄積データを他端末へ転送することが可能となるため、ネットワークトラフィックを増大させることなく、ネットワークファクシミリ装置の利用範囲を飛躍的に拡大させることができる。
【図面の簡単な説明】
　【図１】
　本発明の一実施の形態によるネットワークファクシミリ装置の構成を示す概略ブロック図
　【図２】
　上記実施の形態のネットワークファクシミリ装置を用いたネットワークシステムの構成図
　【図３】
　上記実施の形態のネットワークファクシミリ装置の受信動作を説明するフロー図
　【図４】
　上記実施の形態のネットワークファクシミリ装置の蓄積データをクライアントパソコンに送出する動作を説明するフロー図
　【図５】
　上記実施の形態のネットワークファクシミリ装置のＦＡＸ受信リストの内容を表す図
　【図６】
　上記実施の形態のネットワークファクシミリ装置のホームページの内容を表す図
　【図７】
　上記実施の形態のネットワークファクシミリ装置の蓄積データを送信する動作を説明するフロー図
　【図８】
　上記実施の形態のネットワークファクシミリ装置にクライアントパソコンの文書ファイルを蓄積してから送信する動作を説明するフロー図
　【図９】
　上記実施の形態のネットワークファクシミリ装置が作成したステータス情報をクライアントパソコンに送出する動作を説明するフロー図
　【図１０】
　従来のＦＡＸサーバを使用した場合のシステム構成図
　【図１１】
　従来のインターネットＦＡＸとＷＷＷサーバを使用した場合のシステム構成図
　【符号の説明】
　９　ＦＡＸ・音声通信部
　１０　ネットワーク制御部
　１１　ＨＴＭＬファイル生成部
　１２　ＷＷＷサーバ部
　１３　電子メール通信部
　２０１　ネットワークファクシミリ
　２０２　クライアントパソコン